(57)【要約】【課題】本発明は、簡単に背面投影ディスプレイあるいはプロジェクタディスプレイに切り替えできるコンパクトなディスプレイデバイスを提供しようとするものである。【解決手段】本発明の１実施形態によるデバイスは、ベース部と、ベース部に取り付けられたプロジェクタおよび背面投影スクリーンと、背面投影スクリーンの後方に延び、開口部が形成されたハウジングと、ハウジング内にあり、プロジェクタからの光を背面投影スクリーン上に反射するように傾斜を付けた鏡付き表面とを備え、背面投影スクリーンおよび前記ハウジングは、ベース部上で枢動して、遠隔表面上へ投影するようにプロジェクタを選択的に露出させ、開口部を通して鏡付き表面に投影するように開口部内でプロジェクタを係合させたものである。【選択図】図１
2005301265.tif 000002
【特許請求の範囲】
【請求項１】
ベース部と、
前記ベース部に取り付けられたプロジェクタと、
前記ベース部に取り付けられた背面投影スクリーンと、
前記背面投影スクリーンの後方に延び、開口部が形成されたハウジングと、
前記ハウジング内にあり、前記プロジェクタからの光を前記背面投影スクリーン上に反射するように傾斜を付けた鏡付き表面とを備え、
前記背面投影スクリーンおよび前記ハウジングは、前記ベース部上で枢動して、前記遠隔表面上へ投影するように前記プロジェクタを選択的に露出させ、前記開口部を通して前記鏡付き表面に投影するように前記開口部内で前記プロジェクタを係合させるようにすることを特徴とする、遠隔表面および背面投影スクリーン上に二者択一的に画像を投影するディスプレイデバイス。
【請求項２】
前記ハウジングは折り畳み式であることを特徴とする請求項１に記載のディスプレイデバイス。
【請求項３】
前記背面投影スクリーンは、前記ベース部から取り外し可能であることを特徴とする請求項１に記載のディスプレイデバイス。
【請求項４】
前記プロジェクタは、前記背面投影スクリーンあるいは前記遠隔表面上に焦点が合うように調整可能なレンズを含むことを特徴とする請求項１に記載のディスプレイデバイス。
【請求項５】
ディスプレイデバイスのハウジング内に鏡付き表面の支持構造体を折り畳むステップと、
前記ディスプレイデバイスのハウジングを折り畳むステップと、
前記ディスプレイデバイスのベース部で支持されているプロジェクタの周囲から前記ハウジングを取り除くステップとを含むことを特徴とする、ディスプレイデバイスを背面投影ディスプレイデバイスから前面投影ディスプレイデバイスに変える方法。
【請求項６】
前記プロジェクタの周囲から前記ハウジングを取り除くステップは、背面投影スクリーンおよび前記ハウジングを前記ベース部上で枢動させるステップを含むことを特徴とする請求項５に記載の方法。
【請求項７】
前記プロジェクタの周囲から前記ハウジングを取り除くステップは、背面投影スクリーンおよび前記ハウジングを前記ベース部から取り除くステップを含むことを特徴とする請求項５に記載の方法。
【請求項８】
ディスプレイデバイスのベース部で支持されているプロジェクタを、前記ディスプレイデバイスのハウジング内に覆い隠すステップと、
前記ディスプレイデバイスの前記ハウジングを拡張するステップと、
前記ハウジング内の鏡付き表面の支持構造体を拡張するステップを含むことを特徴とする、ディスプレイデバイスを前面投影ディスプレイデバイスから背面投影ディスプレイデバイスに変える方法。
【請求項９】
前記ハウジング内に前記プロジェクタを覆い隠すステップは、背面投影スクリーンおよび前記ハウジングを前記ベース部上で枢動させるステップを含むことを特徴とする請求項８に記載の方法。
【請求項１０】
前記ハウジング内に前記プロジェクタを覆い隠すステップは、背面投影スクリーンおよび前記ハウジングを前記ベース部上に装備するステップを含むことを特徴とする請求項８に記載の方法。
【発明の詳細な説明】
【技術分野】
【０００１】
本発明は包括的には、背面投影ディスプレイとプロジェクタの組み合わせに関し、より詳細には、遠隔表面および背面投影スクリーン上に二者択一的に画像を投影するディスプレイデバイスに関する。
【背景技術】
【０００２】
背面投影ディスプレイデバイスおよびプロジェクタディスプレイデバイスは、画像およびビデオストリームを表示するのに役立つ。これらの使用例は、テレビおよびプレゼンテーションを含む。これらの２つのタイプのディスプレイデバイスは似ているが、同じではない。それぞれの最良の品質を利用するために、背面投影ディスプレイデバイスとプロジェクタディスプレイデバイスの両方を有することが望ましいことが多い。
【０００３】
これらのディスプレイデバイスの各タイプの１組を所有することは、これらのデバイスの一方のみを所有することに比べて費用がかかり、大きな空間を必要とする。これにより、ディスプレイデバイスの消費者は、背面投影ディスプレイデバイスを有することとプロジェクタディスプレイデバイスを有することとの間で選択する必要があることが多い。選択が行われると、消費者は、その他のデバイスを得なければ、選択していないデバイスの最良の品質を利用することができない。
【発明の開示】
【発明が解決しようとする課題】
【０００４】
本発明は、簡単に背面投影ディスプレイあるいはプロジェクタディスプレイに切り替えできるコンパクトなディスプレイデバイスを提供しようとするものである。
【課題を解決するための手段】
【０００５】
本発明の原理によれば、一実施形態において、ディスプレイデバイスは、遠隔表面および背面投影スクリーン上に二者択一的に画像を投影する。ディスプレイデバイスは、ベース部、プロジェクタ、背面投影スクリーン、および、鏡付き表面を有する。プロジェクタはベース部に取り付けられる。背面投影スクリーンはベース部に取り付けられる。ハウジングは、背面投影スクリーンの後方に延び、開口部を形成されている。鏡付き表面は、プロジェクタからの光を背面投影スクリーン上に反射するように傾斜が付いている。背面投影スクリーンおよびハウジングはベース部上で枢動（pivotal)する。或る位置において、プロジェクタは、遠隔表面上へ投影するように露出させられる。別の位置において、プロジェクタは、開口部を通して鏡付き表面に投影するように開口部内で係合させられる。
【発明を実施するための最良の形態】
【０００６】
図１〜図６は、ディスプレイデバイス２の一実施形態を示す。ディスプレイデバイス２は、遠隔表面４および背面投影スクリーン６に選択的に画像を投影する。一実施形態において、ディスプレイデバイス２は、背面投影スクリーン６、ハウジング８、鏡付き表面１０、プロジェクタ１２、およびベース部１４を含む。
【０００７】
背面投影スクリーン６は、一方の面で投影を受け取り、その投影を他方の面へ透過させるのに役立つ任意のスクリーンである。背面投影スクリーン６は任意の適したサイズである。適したサイズの例は３０インチ〜４０インチの範囲である。しかし、他のサイズが同様に適する場合がある。背面投影スクリーン６はベース部１４に取り付けられる。一実施形態において、背面投影スクリーン６はベース部１４から取り外すことができる。
【０００８】
ハウジング８は、背面投影スクリーン６の後方に延び、鏡付き表面１０および背面投影スクリーン６の一方の面を閉囲する。ハウジング８は折り畳み式である。ハウジング８は、折り畳み可能な材料でできているか、折り畳むために、ハウジング自体で折り重なるように構成されるかのいずれかである。
【０００９】
プロジェクタ１２はベース部１４に固着され、ハウジング８内に隠すことができる。一構成において、プロジェクタ１２は、ハウジング８の中を、開口部１６を通して鏡付き表面１０上に投影する。別の構成において、プロジェクタ１２は遠隔表面４上に投影する。遠隔表面４は、プロジェクタ１２から任意の適した距離にあり、プロジェクタ１２は、任意の適したサイズの画像を遠隔表面４上に投影する。適したサイズの例は、８０インチ以上を含む。しかし、８０インチ未満のサイズもまた適する場合がある。
【００１０】
一実施形態において、プロジェクタ１２はレンズ１８を含む。レンズ１８は、ディスプレイデバイス２の構成に応じて、背面投影スクリーン６および遠隔表面４に選択的に焦点合わせされるように調整可能である。
【００１１】
ベース部１４は、プロジェクタ１２、背面投影スクリーン６およびハウジング８を支持する任意の適した構造である。図は、ベース部１４用のただ１つの例示的な構造、すなわち、折り重ね可能な「Ｌ」形状構造を示す。多くの代替の構造もまたベース部１４に適する。さらに、ベース部１４は、可搬性または収納のために、図４に示すように、さらに折り畳まれてもよい。
【００１２】
一実施形態において、ディスプレイデバイス２はさらにハンドル１９を含む。ハンドル１９は、ディスプレイデバイス２上の任意の場所に取り付けられる。ハンドル１９を取り付けるのに適した場所の例は、ハウジング８およびベース部１４を含む。ハンドル１９は、ディスプレイデバイス２が好都合に運ばれることを可能にする。
【００１３】
背面投影スクリーン６およびハウジング８は、ベース部１４上で枢動して、遠隔表面４上へ投影するようにプロジェクタ１２を選択的に露出させ、かつ、開口部１６を通して鏡付き表面１０に投影するように開口部１６内でプロジェクタ１２を係合させるようにする。
【００１４】
開口部１６はハウジング８内に形成される。開口部１６は、プロジェクタ１２がハウジング内で鏡付き表面１０に投影することを可能にする。
【００１５】
鏡付き表面１０は任意の光反射面である。鏡付き表面１０は、ハウジング８内に配設され、プロジェクタ１２からの光を背面投影スクリーン６上に反射するように傾斜が付いている。ただ１つの鏡付き表面１０が図に示されるが、任意の数の鏡付き表面１０を用いて、プロジェクタ１２からの光を背面投影スクリーン６上に向けてもよい。さらに、鏡付き表面１０は、鏡付き表面１０のいずれかの端部または両方の端部で取り付けられてもよい。
【００１６】
一実施形態において、ディスプレイデバイス２はさらに、鏡付き表面１０用の支持構造体２０を含む。支持構造体２０は、ハウジング８内で鏡付き表面１０を支持するように構成された任意のデバイスまたはシステムである。支持構造体２０の例はトラックおよびつなぎ鎖を含む。一実施形態において、支持構造体２０はハウジング８内で折り畳み可能である。鏡付き表面１０の一方の端部のみの上に示されるが、支持構造体２０は、いずれかの端部または両方の端部にあってもよい。
【００１７】
図７は、ディスプレイデバイス２を背面投影ディスプレイデバイスから前面投影ディスプレイデバイスに変える本発明の方法の一実施形態のステップを示すフローチャートである。図７に示すステップは、特定の順序で提示されるが、本発明は、ステップの順序の変形を包含する。さらに、本発明の範囲から逸脱することなく、図７に示すステップの間で追加のステップが実行されてもよい。
【００１８】
鏡付き表面１０用の支持構造体２０は、ディスプレイデバイス２のハウジング８内で折り畳まれる２２。支持構造体２０を折り畳む２２的確な手段は、支持構造体２０の性質によって決まる。
【００１９】
ディスプレイデバイス２のハウジング８は折り畳まれる２４。ハウジング８は、プロジェクタ１２の周囲から取り除かれる２６。一実施形態において、ハウジング８をプロジェクタ１２の周囲から取り除くこと２６は、背面投影スクリーン６およびハウジング８をベース部１４上で枢動させることを含む。代替の実施形態において、ハウジング８をプロジェクタ１２の周囲から取り除くこと２６は、背面投影スクリーン６およびハウジング８をベース部１４から取り除くことを含む。
【００２０】
さらなるオプションのステップが実施されてもよい。たとえば、一実施形態において、プロジェクタ１２のレンズ１８は、遠隔表面４上で焦点が合うように調整される２８。別のオプションのステップにおいて、プロジェクタ１２のアスペクト比（縦横比）が４：３〜１６：９の間で調整される３０。
【００２１】
図８は、図７のステップのシーケンスおよび作用を逆にする、ディスプレイデバイス２を前面投影ディスプレイデバイスから背面投影ディスプレイデバイスに変える本発明の方法の一実施形態のステップを示すフローチャートである。図８に示すステップは、特定の順序で提示されるが、本発明は、ステップの順序の変形を包含する。さらに、本発明の範囲から逸脱することなく、図８に示すステップの間で追加のステップが実行されてもよい。
【００２２】
ディスプレイデバイス２のベース部１４において支持されるプロジェクタ１２は、ディスプレイデバイス２のハウジング８内に覆い隠される３２。一実施形態において、ハウジング８内にプロジェクタ１２を覆い隠すこと３２は、背面投影スクリーン６およびハウジング８をベース部１４上で枢動させることを含む。代替の実施形態において、ハウジング８内にプロジェクタ１２を覆い隠すこと３２は、背面投影スクリーン６およびハウジング８をベース部１４上に装備することを含む。
【００２３】
ディスプレイデバイス２のハウジング８は拡張される３４。鏡付き表面１０用の支持構造体２０は、拡張して、鏡付き表面１０を背面投影スクリーン６に整列させる。
【００２４】
さらなるオプションのステップが実施されてもよい。たとえば、一実施形態において、プロジェクタ１２のレンズ１８は、背面投影スクリーン６上で焦点合わせされるように調整される３８。別のオプションのステップにおいて、プロジェクタ１２のアスペクト比が１６：９〜４：３の間で調整される４０。
【００２５】
前述の説明は本発明を例示するにすぎない。本発明から逸脱することなく、種々の代替および変更が当業者によって考案されることができる。したがって、本発明は、添付の特許請求項の範囲内に入る全てのこうした代替、変更、および変形を包含する。
【図面の簡単な説明】
【００２６】
【図１】遠隔表面および背面投影スクリーン上に二者択一的に画像を投影する本発明のディスプレイデバイスの一実施形態の第１の位置を示す斜視図である。
【図２】ハウジングを折り畳んだ状態の、図１のディスプレイデバイスを示す斜視図である。
【図３】図１に示すディスプレイデバイスの第２の位置を示す斜視図である。
【図４】図１に示すディスプレイデバイスの引っ込んだ位置を示す斜視図である。
【図５】図１に示す位置にあるディスプレイデバイスの一実施形態を示す断面図である。
【図６】図３に示す位置にあるディスプレイデバイスの一実施形態を示す断面図である。
【図７】ディスプレイデバイスを背面投影ディスプレイデバイスから前面投影ディスプレイデバイスに変える本発明の方法の一実施形態を示すフローチャートである。
【図８】ディスプレイデバイスを前面投影ディスプレイデバイスから背面投影ディスプレイデバイスに変える本発明の方法の一実施形態を示すフローチャートである。
【符号の説明】
【００２７】
２  ディスプレイデバイス
４  遠隔表面
６  背面投影スクリーン
８  ハウジング
１０  鏡付き表面
１２  プロジェクタ
１４  ベース
１６  開口部
１８  レンズ
２０  支持構造体
【図１】
2005301265.tif 000003
【図２】
2005301265.tif 000004
【図３】
2005301265.tif 000005
【図４】
2005301265.tif 000006
【図５】
2005301265.tif 000007
【図６】
2005301265.tif 000008
【図７】
2005301265.tif 000009
【図８】
2005301265.tif 000010